(57)【特許請求の範囲】
【請求項１】
第１ハンドヘルド部と、
前記第１ハンドヘルド部に回転可能に接続された第２ハンドヘルド部と、
前記第１ハンドヘルド部に回転可能に取り付けられた刃取付板と、
前記刃取付板に着脱可能に取り付けられた刃と、
を備え、
前記刃取付板の一方の側に取り付けられて固定された第１クランプ板と、
前記刃取付板の他方の側に取り付けられて固定された第２クランプ板と、
をさらに備え、
前記刃と前記刃取付板との間の接続部は、前記第１クランプ板と前記第２クランプ板とに挟まれている刃交換式切断工具。
【請求項２】
前記刃取付板は、
前記刃が取り付けられた前端を有する刃取付板本体と、
前記刃取付板本体の後端に設けられた弓状板と、を備え、
前記弓状板は、
ラチェットの一部であり、
前記弓状板の弓状側壁に設けられたラチェット歯と、
隣接する２つのラチェット歯の間に設けられたラチェット歯間隙と、を備え、
前記第２ハンドヘルド部には、前記第１ハンドヘルド部に面する側に、前記ラチェット歯間隙のいずれか１つに係合する第１バックルおよび／または第２バックルが設けられている請求項１に記載の刃交換式切断工具。
【請求項３】
前記刃取付板は、
前記刃取付板本体の前端に設けられ、前記弓状板の中央に接続された刃取付板ラッチ部と、
前記刃取付板ラッチ部と前記弓状板との間に設けられ、前記刃に向かって開口する刃取付板バヨネットと、を備え、
前記刃は、
突条部と、
前記突条部と一体に設けられた刃先部と、
前記刃先部とは反対側の前記刃の縁部に設けられ、刃取付板バヨネットに係合する刃ラッチ部と、
前記刃ラッチ部と前記刃先部との間に設けられ、前記刃取付板ラッチ部が係合する刃バヨネットと、を備える請求項２に記載の刃交換式切断工具。
【請求項４】
前記刃取付板は、弓状板の弓状側壁から遠い側に設けられ、刃に向かって開口する弾性片取付ノッチを備え、
前記刃は、前記弾性片取付ノッチとは反対側に刃固定バヨネットを備える請求項３に記載の刃交換式切断工具。
【請求項５】
前記弾性片取付ノッチは、
弓状板の弓状側壁から遠い側に位置する開口部を有する第１ノッチ部と、
前記第１ノッチ部と連通し、前記第１ノッチ部に対して直交するように設けられた第２ノッチ部と、を備える請求項４に記載の刃交換式切断工具。
【請求項６】
前記刃は、
突条部と、
前記突条部と一体に設けられた刃先部と、を備え、
前記刃取付板は、
前記刃取付板本体の前端に設けられる刃取付板第１ラッチ部と、
前記刃取付板本体の中央に設けられ、前記突条部に対応する刃取付板第２ラッチ部と、
前記刃取付板本体の中央に設けられ、前記刃先部に対応する刃取付板第３ラッチ部と、
前記刃取付板第１ラッチ部とロック部材との間に設けられる刃取付板第１バヨネットと、
前記刃取付板第２ラッチ部と前記刃取付板第３ラッチ部との間に設けられる刃取付板第２バヨネットと、を備え、
前記刃は、
突条部と、
前記突条部と一体に設けられた刃先部と、
前記突条部から突出し、前記刃取付板第１バヨネットに係合する刃第１ラッチ部と、
前記突条部から突出し、前記刃取付板第２バヨネットに係合する刃第２ラッチ部と、
前記突条部の前端に設けられ、前記刃取付板第１ラッチ部が係合し、かつ、接する刃第１バヨネットと、
前記突条部の後端に設けられ、前記刃取付板第２ラッチ部が係合する刃第２バヨネットと、
前記刃先部の後端に設けられ、前記刃取付板第３ラッチ部が係合し、かつ、接する刃第３バヨネットと、を備える請求項２に記載の刃交換式切断工具。
【請求項７】
刃取付板は、
前記刃取付板第１バヨネットに連通する弾性部材取付ノッチと、
前記弾性部材取付ノッチに連通するロック部材取付ノッチと、を備え、
前記刃は、
前記刃第１ラッチ部から突出する刃ロックラッチ部と、
前記刃ロックラッチ部、前記刃第１ラッチ部および前記突条部によって囲まれている刃ロックバヨネットと、を備え、
本刃交換式切断工具はさらに、一体に設けられた次の構成要素であって、
前記弾性部材取付ノッチ内をスライドし、前記刃ロックバヨネットに係合する前端を有するロックレバーと、前記ロックレバーの中央に接続され、前記弾性部材取付ノッチ内をスライドするロックブロックと、を備えるロック部材と、
前記弾性部材取付ノッチ内に設けられ、一端は前記ロックブロックの側壁に接続され、他端は前記弾性部材取付ノッチの内側側壁に接続される第４弾性部材と、を備える請求項６に記載の刃交換式切断工具。
【請求項８】
前記第１クランプ板を貫通する第１腎臓形スロットと、
前記第２クランプ板を貫通し、前記第１腎臓形スロットと対向する第２腎臓形スロットと、
前記第１腎臓形スロット、弾性片取付ノッチおよび／または刃固定バヨネットおよび前記第２腎臓形スロットを順に通過するトグルレバーと、
前記弾性片取付ノッチ内に設けられ、一端は前記刃取付板に固定され、他端は前記トグルレバーの側壁に接する弾性片と、
をさらに備える請求項１に記載の刃交換式切断工具。
【請求項９】
前記刃を貫通し、前記刃取付板に近い突条部の部分に位置しているブレードピン取付穴と、
前記第１クランプ板を貫通し、前記ブレードピン取付穴に対向するよう設けられている第１クランプ板ピン取付穴と、
前記第２クランプ板を貫通し、前記ブレードピン取付穴に対向するよう設けられている第２クランプ板ピン取付穴と、
前記第２クランプ板ピン取付穴、前記ブレードピン取付穴および前記第１クランプ板ピン取付穴を順に貫通し、一端にはピンキャップが設けられ、他端の側壁には凹状の位置決めスロットが設けられているピンと、
前記位置決めスロットの開口部に設けられた位置決めボールと、
前記位置決めスロットの底部に接続された一端と、前記位置決めボールに接続された他端と、を有する位置決めバネと、
をさらに備える請求項１に記載の刃交換式切断工具。
【請求項１０】
前記第１クランプ板を貫通する第１制御孔と、
前記第２クランプ板を貫通する第２制御孔と、
ロックブロックの前記第１クランプ板に面する側から突出し、前記第１制御孔を通過する第３トグル部材と、
ロックレバーの前端の前記第２クランプ板に面する側から突出し、前記第２制御孔を通過する第４トグル部材と、
をさらに備える請求項１に記載の刃交換式切断工具。
【請求項１１】
前記第１クランプ板は、
前記第１クランプ板の後端に設けられる、ラチェットの一部である第１クランプ板弓状板と、
前記第１クランプ板弓状板の弓状側壁に設けられる第１クランプ板ラチェット歯と、
２つの隣接する第１クランプ板ラチェット歯の間に設けられる第１クランプ板ラチェット歯間隙と、を備え、
および／または
前記第２クランプ板は、
前記第２クランプ板の後端に設けられる、ラチェットの一部である第２クランプ板弓状板と、
前記第２クランプ板弓状板の弓状側壁に設けられる第２クランプ板ラチェット歯と、
２つの隣接する第２クランプ板ラチェット歯の間に設けられる第２クランプ板ラチェット歯間隙と、
を備える請求項１に記載の刃交換式切断工具。
【請求項１２】
第１ハンドヘルド部と、
前記第１ハンドヘルド部に回転可能に接続された第２ハンドヘルド部と、
前記第１ハンドヘルド部に着脱可能、かつ、回転可能に取り付けられたラチェット刃と、
を備え、
前記第１ハンドヘルド部と前記ラチェット刃との間の接続部に設けられる着脱式ピンをさらに備え、前記第１ハンドヘルド部および前記ラチェット刃は当該着脱式ピンの周りを回転可能であり、
前記第１ハンドヘルド部の第１側壁を貫通する第１ハンドヘルド部第１側壁貫通孔と、
前記第１ハンドヘルド部の第２側壁を貫通する第１ハンドヘルド部第２側壁貫通孔と、
前記ラチェット刃を貫通する刃貫通孔と、
をさらに備え、
前記着脱式ピンは、前記第１ハンドヘルド部第１側壁貫通孔、前記刃貫通孔および前記第１ハンドヘルド部第２側壁貫通孔を順に貫通する刃交換式切断工具。
【請求項１３】
前記着脱式ピンは、
一体に形成された次の構成要素であって、前記第１ハンドヘルド部第１側壁貫通孔、前記刃貫通孔および前記第１ハンドヘルド部第２側壁貫通孔を順に貫通する中空軸スリーブと、前記第１ハンドヘルド部の前記第１側壁の外側に露出する軸スリーブベースと、を備える中空軸と、
一体に形成された次の構成要素であって、前記中空軸スリーブに挿入され、ネジ接続される回転軸と、前記第１ハンドヘルド部の前記第２側壁の外側に露出し、平坦または十字形の溝が設けられた外面を有する回転軸ベースと、を備える回転部材と、
を備える請求項１２に記載の刃交換式切断工具。
【請求項１４】
前記着脱式ピンは、
前記第１ハンドヘルド部の前記第１側壁の外側に露出するナットと、
前記ナットに挿入され、ネジ接続される前端と、ネジベースが設けられた後端と、を有するネジと、を備え、
前記ネジは、前記第１ハンドヘルド部第１側壁貫通孔、前記刃貫通孔および前記第１ハンドヘルド部第２側壁貫通孔を順に貫通し、
前記ネジベースは、前記第１ハンドヘルド部の前記第２側壁の外側に露出し、平坦または十字形の溝が設けられた外面を有する請求項１２に記載の刃交換式切断工具。
【請求項１５】
前記ラチェット刃は、
前記ラチェット刃の前端に設けられた切断部と、
前記ラチェット刃の後端に設けられた弓状板と、
前記切断部および前記弓状板を接続するために使用され、前記第１ハンドヘルド部に回転可能に接続される接続部と、
を備える請求項１２に記載の刃交換式切断工具。
【請求項１６】
前記切断部は、
前記第１ハンドヘルド部の外側に面する突条部と、
第１ハンドヘルド部第２開口部に面する刃先部と、を備え、
および／または
前記弓状板は、ラチェットの一部であり、
前記弓状板の弓状側壁に設けられたラチェット歯と、
２つの隣接するラチェット歯の間に設けられたラチェット歯間隙と、を備え、
前記第２ハンドヘルド部には、前記第１ハンドヘルド部に面する側に、前記ラチェット歯間隙のいずれかに係合する第１バックルおよび／または第２バックルが設けられている請求項１５に記載の刃交換式切断工具。
【請求項１７】
（ａ）前記第１ハンドヘルド部に固定される一端と、前記ラチェット刃に固定される他端と、を有する第３弾性部材、（ｂ）前記弓状板の一端を貫通し、前記第３弾性部材の一端によって係合される弓状板スナップ孔、または、（ｃ）接続部の側壁に凹み、前記第３弾性部材の一端によって係合される接続部スナップスロット、をさらに備える請求項１５に記載の刃交換式切断工具。
【発明の詳細な説明】
【技術分野】
【０００１】
本発明は、手工具に関し、特に刃交換式切断工具に関する。
【背景技術】
【０００２】
一般的な工具としての切断工具は、数回の使用で刃が欠けたり損傷し、工具全体がその機能を失い、その結果資源の大きな無駄が生じる。刃が交換可能であれば、手工具の寿命を延ばすことができる。
【０００３】
単純な構造を有するいくつかの切断工具では、刃は組み立ておよび分解が容易であり、ユーザは自分で刃を取り外しおよび交換することができる。しかしながら、ラチェットパイプカッターのような複雑な構造を有するいくつかの切断工具では、素人は刃を交換することができず、刃が損傷すると、切断工具全体がその価値を失う。
【０００４】
当業者は、切断部品が単純な固定刃構造であるか複雑なラチェット刃構造であるかにかかわらず、刃を容易かつ迅速に交換することができ、それによって切断工具の寿命を効果的に延ばして資源の浪費を回避できる、新しい刃交換式切断工具を開発することに専念している。
【発明の概要】
【０００５】
本発明の目的は、ラチェットパイプカッターのような、刃の交換が困難で刃が損傷すると切断工具全体が使用できなくなる、従来技術における複雑な構造の切断工具の技術的問題を解決する刃交換式切断工具を提供することである。
【０００６】
上述の技術的問題を解決するために、本発明は、第１ハンドヘルド部と、第１ハンドヘルド部に回転可能に接続された第２ハンドヘルド部と、第１ハンドヘルド部に回転可能に接続された刃取付板と、刃取付板に着脱可能に取り付けられた刃と、を含む刃交換式切断工具を提供する。
【０００７】
さらに、異なる実施形態では、刃取付板は、刃が取り付けられた前端を有する刃取付板本体と、刃取付板本体の後端に設けられ、ラチェットの一部となる弓状板と、を含む。
【０００８】
さらに、異なる実施形態では、弓状板は、ラチェットの一部であり、弓状側壁に設けられたラチェット歯と、隣接する２つのラチェット歯の間に設けられたラチェット歯間隙と、を含み、第２ハンドヘルド部には、第１ハンドヘルド部に面する側に、ラチェット歯間隙のいずれか１つに係合する第１バックルおよび／または第２バックルが設けられている。
【０００９】
さらに、異なる実施形態では、刃取付板は、刃取付板本体の前端に設けられ、弓状板の中央に接続された刃取付板ラッチ部と、刃取付板ラッチ部と弓状板との間に設けられ、刃に向かって開口する刃取付板バヨネットと、を含む。
【００１０】
さらに、異なる実施形態では、刃は、突条部と、突条部と一体に設けられた刃先部と、刃先部とは反対側の刃の縁部に設けられ、刃取付板バヨネットに係合する刃ラッチ部と、刃ラッチ部と刃先部との間に設けられ、刃取付板ラッチ部が係合する刃バヨネットと、を含む。
【００１１】
さらに異なる実施形態では、刃取付板は、弓状板の弓状側壁から遠い側に設けられ、刃に向かって開口する弾性片取付ノッチを含み、
刃は、弾性片取付ノッチとは反対側に刃固定バヨネットを含む。
【００１２】
さらに異なる実施形態では、弾性片取付ノッチは、弓状板の弓状側壁から遠い側に位置する開口部を有する第１ノッチ部と、第１ノッチ部と連通し、第１ノッチ部に対して直交するように設けられた第２ノッチ部と、を含む。
【００１３】
さらに異なる実施形態では、刃取付板は、刃取付板本体の前端に設けられる刃取付板第１ラッチ部と、刃取付板本体の中央に設けられ、突条部に対応する刃取付板第２ラッチ部と、刃取付板本体の中央に設けられ、刃先部に対応する刃取付板第３ラッチ部と、刃取付板第１ラッチ部とロック部材との間に設けられる刃取付板第１バヨネットと、刃取付板第２ラッチ部と刃取付板第３ラッチ部との間に設けられる刃取付板第２バヨネットと、を含み、刃は、突条部と、突条部と一体に設けられた刃先部と、突条部から突出し、刃取付板第１バヨネットに係合する刃第１ラッチ部と、突条部から突出し、刃取付板第２バヨネットに係合する刃第２ラッチ部と、突条部の前端に設けられ、刃取付板第１ラッチ部が係合し、かつ、接する刃第１バヨネットと、突条部の後端に設けられ、刃取付板第２ラッチ部が係合する刃第２バヨネットと、刃先部の後端に設けられ、刃取付板第３ラッチ部が係合し、かつ、接する刃第３バヨネットと、を含む。
【００１４】
さらに異なる実施形態では、刃取付板は、刃取付板第１バヨネットに連通する弾性部材取付ノッチと、弾性部材取付ノッチに連通するロック部材取付ノッチと、を含み、刃は、刃第１ラッチ部から突出する刃ロックラッチ部と、刃ロックラッチ部、刃第１ラッチ部および突条部によって囲まれている刃ロックバヨネットと、を含み、刃交換式切断工具はさらに、一体に設けられた次の構成要素であって、弾性部材取付ノッチ内をスライドし、刃ロックバヨネットに係合する前端を有するロックレバーと、ロックレバーの中央に接続され、弾性部材取付ノッチ内をスライドするロックブロックと、を含むロック部材と、弾性部材取付ノッチ内に設けられ、一端はロックブロックの側壁に接続され、他端は弾性部材取付ノッチの内側側壁に接続される第４弾性部材と、を含む。
【００１５】
さらに異なる実施形態では、刃交換式切断工具は、刃取付板の一方の側に取り付けられて固定された第１クランプ板と、刃取付板の他方の側に取り付けられて固定された第２クランプ板と、をさらに備え、刃と刃取付板との間の接続部は、第１クランプ板と第２クランプ板とに挟まれている。
【００１６】
さらに異なる実施形態では、第１クランプ板には第１腎臓形スロットが設けられ、第２クランプ板には第１腎臓形スロットに対向するように第２腎臓形スロットが設けられ、第１腎臓形スロットおよび第２腎臓形スロットは、第１ノッチ部および刃固定バヨネットの一部に対向するように設けられる。
【００１７】
さらに異なる実施形態では、刃交換式切断工具は、第１腎臓形スロット、弾性片取付ノッチおよび／または刃固定バヨネットおよび第２腎臓形スロットを順に通過するトグルレバーと、弾性片取付ノッチ内に設けられ、一端は刃取付板に固定され、他端はトグルレバーの側壁に接する弾性片と、をさらに含む。
【００１８】
さらに異なる実施形態では、トグルレバーは、一体に形成された次の構成要素であって、第１クランプ板に接し、第１クランプ板の外側に露出する第１トグルノブと、第１腎臓形スロットを通過する第１トグルポストと、を含む第１トグル部材と、一体に形成された次の構成要素であって、第２クランプ板に接する第２トグルノブと、第２腎臓形スロットを通過し、第１トグルポストに接続される第２トグルポストと、を含む第２トグル部材と、を含む。
【００１９】
さらに異なる実施形態では、弾性片は、一体に形成された次の構成要素であって、第２ノッチ部内に設けられた屈曲部と、第１ノッチ部内に設けられ、一端は屈曲部に接続され、他端はトグルレバーの側壁に接する直線部と、を含む。
【００２０】
さらに異なる実施形態では、刃交換式切断工具は、刃を貫通し、刃取付板に近い突条部の部分に位置しているブレードピン取付穴と、第１クランプ板を貫通し、ブレードピン取付穴に対向するよう設けられている第１クランプ板ピン取付穴と、第２クランプ板を貫通し、ブレードピン取付穴に対向するよう設けられている第２クランプ板ピン取付穴と、第２クランプ板ピン取付穴、ブレードピン取付穴および第１クランプ板ピン取付穴を順に貫通し、一端にはピンキャップが設けられ、他端の側壁には凹状の位置決めスロットが設けられているピンと、位置決めスロットの開口部に設けられた位置決めボールと、位置決めスロットの底部に接続された一端と、位置決めボールに接続された他端と、を有する位置決めバネと、をさらに含む。
【００２１】
さらに異なる実施形態では、刃交換式切断工具は、第１クランプ板を貫通し、ロックブロックに対向するように設けられた第１制御孔と、ロックブロックの第１クランプ板に面する側から突出し、第１制御孔を通過する第３トグル部材と、を含む。
【００２２】
さらに異なる実施形態では、刃交換式切断工具は、第２クランプ板を貫通し、ロックレバーの前端に対向するように設けられた第２制御孔と、ロックレバーの前端の第２クランプ板に面する側から突出し、第２制御孔を通過する第４トグル部材と、をさらに含む。
【００２３】
さらに異なる実施形態では、第１クランプ板は、第１クランプ板の後端に設けられる、ラチェットの一部である第１クランプ板弓状板と、第１クランプ板弓状板の弓状側壁に設けられる第１クランプ板ラチェット歯と、２つの隣接する第１クランプ板ラチェット歯の間に設けられる第１クランプ板ラチェット歯間隙と、を含む。
【００２４】
さらに異なる実施形態では、第２クランプ板は、第２クランプ板の後端に設けられる、ラチェットの一部である第２クランプ板弓状板と、第２クランプ板弓状板の弓状側壁に設けられる第２クランプ板ラチェット歯と、２つの隣接する第２クランプ板ラチェット歯の間に設けられる第２クランプ板ラチェット歯間隙と、を含む。
【００２５】
さらに異なる実施形態では、刃交換式切断工具は、第１クランプ板および第２クランプ板を刃取付板の両側に固定する第１締結具と、第１ハンドヘルド部第１側壁、第１クランプ板、刃取付板、第２クランプ板および第１ハンドヘルド部第２側壁を順に固定する第２締結具と、
【００２６】
さらに異なる実施形態では、第１ハンドヘルド部第１側壁には、第１ハンドヘルド部第１側壁貫通孔が設けられ、第１ハンドヘルド部第２側壁には、第１ハンドヘルド部第２側壁貫通孔が設けられ、第１クランプ板には、第１クランプ板貫通孔が設けられ、第２クランプ板には、第２クランプ板貫通孔が設けられ、刃取付板には、刃取付板貫通孔が設けられ、第２締結具は、第１ハンドヘルド部第１側壁貫通孔、第１クランプ板貫通孔、刃取付板貫通孔、第２クランプ板貫通孔および第１ハンドヘルド部第２側壁貫通孔を順に貫通する。
【００２７】
さらに異なる実施形態では、第１ハンドヘルド部は、第１ハンドヘルド部第１側壁と、第１ハンドヘルド部第１側壁に対向するように設けられた第１ハンドヘルド部第２側壁と、第１ハンドヘルド部第１側壁および第１ハンドヘルド部第２側壁によって囲まれ、第２ハンドヘルド部に向かって開口する第１ハンドヘルド部開口キャビティと、を含み、刃取付板および刃は、第１ハンドヘルド部開口キャビティ内に設けられている。
【００２８】
さらに異なる実施形態では、第１ハンドヘルド部は、第１ハンドヘルド部第１側壁の縁に設けられる第１弓状溝と、第１ハンドヘルド部第２側壁の縁であって、第１弓状溝とは反対側に設けられる第２弓状溝と、をさらに含み、第１弓状溝および第２弓状溝は、それぞれ第１ハンドヘルド部開口キャビティの開口部の両側に設けられる。
【００２９】
さらに異なる実施形態では、第２ハンドヘルド部は、第２ハンドヘルド部第１側壁と、第２ハンドヘルド部第１側壁と一体に設けられ、第２ハンドヘルド部第１側壁に対向する第２ハンドヘルド部第２側壁と、第１ハンドヘルド部に向かって開口する第２ハンドヘルド部開口キャビティと、を含む。
【００３０】
さらに異なる実施形態では、一端が第１ハンドヘルド部に固定され、他端は刃取付板に固定される第１弾性部材と、一端は第１ハンドヘルド部に固定され、他端は第２ハンドヘルド部に固定される第２弾性部材と、を含む。
【００３１】
さらに異なる実施形態では、刃交換式切断工具は、第１ハンドヘルド部の２つの側壁の内側に垂直に組み付けられる第１ピンであって、第１ハンドヘルド部および第２ハンドヘルド部を回転可能に軸支する第１ピンと、第１ピンに回転可能に軸支される後端と、ラチェット歯間隙のいずれか１つに係合する前端と、を有する第１バックルと、第１ハンドヘルド部に接続される一端と、第１バックルに接続される他端と、を有する第１弾性部材と、をさらに含む。第１弾性部材は、トーションバネである。
【００３２】
さらに異なる実施形態では、刃交換式切断工具は、第２ハンドヘルド部の２つの側壁の内側に垂直に組み付けられる第２ピンと、第２ピンに回転可能に軸支される後端と、ラチェット歯間隙のいずれか１つに係合する前端と、を有する第２バックルと、第２ハンドヘルド部に接続される一端と、第２バックルに接続される他端と、を有する第２弾性部材と、をさらに含む。第２弾性部材は、第２ピンに軸支されたトーションバネであり、一端は第１ハンドヘルド部に接続され、他端は第２バックルに着脱可能に接続される。
【００３３】
さらに異なる実施形態では、刃交換式切断工具は、第１ハンドヘルド部に固定される一端と、刃取付板に固定される他端と、を有する第３弾性部材をさらに含む。第３弾性部材は引張バネである。
【００３４】
上述の技術的課題を解決するために、本発明はさらに、第１ハンドヘルド部と、第１ハンドヘルド部に回転可能に接続された第２ハンドヘルド部と、第１ハンドヘルド部に着脱可能、かつ、回転可能に取り付けられたラチェット刃と、を含む別の刃交換式切断工具を提供する。
【００３５】
さらに異なる実施形態では、刃交換式切断工具は、第１ハンドヘルド部とラチェット刃との間の接続部に設けられる着脱式ピンをさらに含み、第１ハンドヘルド部およびラチェット刃は着脱式ピンの周りを回転可能である。
【００３６】
さらに異なる実施形態では、刃交換式切断工具は、第１ハンドヘルド部第１側壁を貫通する第１ハンドヘルド部第１側壁貫通孔と、第１ハンドヘルド部第２側壁を貫通する第１ハンドヘルド部第２側壁貫通孔と、ラチェット刃を貫通する刃貫通孔と、をさらに含み、着脱式ピンは、第１ハンドヘルド部第１側壁貫通孔、刃貫通孔および第１ハンドヘルド部第２側壁貫通孔を順に貫通する。
【００３７】
さらに異なる実施形態では、着脱式ピンは、一体に形成された次の構成要素であって、第１ハンドヘルド部第１側壁貫通孔、刃貫通孔および第１ハンドヘルド部第２側壁貫通孔を順に貫通する中空軸スリープと、第１ハンドヘルド部第１側壁の外側に露出する軸スリーブベースと、を含む中空軸と、一体に形成された次の構成要素であって、中空軸スリーブに挿入され、ネジ接続される回転軸と、第１ハンドヘルド部第２側壁の外側に露出し、平坦または十字形の溝が設けられた外面を有する回転軸ベースと、を含む回転部材と、を含む。
【００３８】
さらに異なる実施形態では、着脱式ピンは、第１ハンドヘルド部第１側壁の外側に露出するナットと、ナットに挿入され、ネジ接続される前端と、第１ハンドヘルド部第２側壁の外側に露出し、平坦または十字形の溝が設けられた外面を有するネジベースが設けられた後端と、を有するネジと、を含む。
【００３９】
さらに異なる実施形態では、ラチェット刃は、ラチェット刃の前端に設けられた切断部と、ラチェット刃の後端に設けられた弓状板と、切断部および弓状板を接続するために使用され、第１ハンドヘルド部に回転可能に接続される接続部と、を含む。
【００４０】
さらに異なる実施形態では、切断部は、第１ハンドヘルド部の外側に面する突条部と、第１ハンドヘルド部第２開口部に面する刃先部と、を含む。
【００４１】
さらに異なる実施形態では、刃先部は、直線状または弓状である。
【００４２】
さらに異なる実施形態では、弓状板は、ラチェットの一部であり、弓状板の弓状側壁に設けられたラチェット歯と、２つの隣接するラチェット歯の間に設けられたラチェット歯間隙と、を含み、第２ハンドヘルド部には、第１ハンドヘルド部に面する側に、ラチェット歯間隙のいずれかに係合する第１バックルおよび／または第２バックルが設けられている。
【００４３】
さらに異なる実施形態では、弓状板は、弓状板の一端を貫通し、第３弾性部材の一端によってスナップ止めされる弓状板スナップ孔を含む。
【００４４】
さらに異なる実施形態では、接続部は、接続部の側壁に凹み、第３弾性部材の一端によって係合される接続部スナップスロットを含む。
【００４５】
さらに異なる実施形態では、第１ハンドヘルド部は、第１ハンドヘルド部第１側壁と、第１ハンドヘルド部第１側壁に対向するように設けられた第１ハンドヘルド部第２側壁と、第１ハンドヘルド部第１側壁１１および第１ハンドヘルド部第２側壁によって囲まれた第１ハンドヘルド部開口キャビティであって、第２ハンドヘルド部に面する第１ハンドヘルド部第１開口部と、第１ハンドヘルド部の外側に面する第１ハンドヘルド部第２開口部と、を含む第１ハンドヘルド部開口キャビティと、を含み、ラチェット刃の一部は、第１ハンドヘルド部開口キャビティ内に設けられる。
【００４６】
さらに異なる実施形態では、第１ハンドヘルド部は、第１ハンドヘルド部第１側壁の縁に設けられる第１弓状溝と、第１ハンドヘルド部第２側壁の縁であって、第１弓状溝とは反対側に設けられる第２弓状溝と、さらに含み、第１弓状溝および第２弓状溝は、それぞれ第２開口部の両側に設けられる。
【００４７】
さらに異なる実施形態では、第２ハンドヘルド部は、第２ハンドヘルド部第１側壁と、第２ハンドヘルド部第１側壁と一体に設けられ、第２ハンドヘルド部第１側壁に対向する第２ハンドヘルド部第２側壁と、第１ハンドヘルド部に向かって開口する第２ハンドヘルド部開口キャビティと、を含む。
【００４８】
さらに異なる実施形態では、刃交換式切断工具は、第１ハンドヘルド部の２つの側壁の内側に垂直に組み付けられる第１ピンであって、第ハンドヘルド部および第２ハンドヘルド部を回転可能に軸支する第１ピンと、第１ピンに回転可能に軸支される後端と、ラチェット歯間隙のいずれか１つに係合する前端と、を有する第１バックルと、第１ハンドヘルド部に接続される一端と、第１バックルに接続される他端と、を有する第１弾性部材と、をさらに含む。
【００４９】
さらに異なる実施形態では、第１弾性部材は、引張バネである。
【００５０】
さらに異なる実施形態では、刃交換式切断工具は、第２ハンドヘルド部の２つの側壁の内側に垂直に組み付けられる第２ピンと、第２ピンに回転可能に軸支される後端と、ラチェット歯間隙のいずれか１つに係合する前端と、を有する第２バックルと、第２ハンドヘルド部に接続される一端と、第２バックルに接続される他端と、を有する第２弾性部材と、を含む。
【００５１】
第２弾性部材は、第２ピンに軸支されたトーションバネであり、一端は第１ハンドヘルド部に接続され、他端は第２バックルに着脱可能に接続される。
【００５２】
さらに異なる実施形態では、刃交換式切断工具は、第１ハンドヘルド部に固定される一端と、ラチェット刃に固定される他端と、を有する第３弾性部材を含む。
【００５３】
さらに異なる実施形態では、第３弾性部材は、トーションバネ取付軸に軸支されたトーションバネであり、当該第３弾性部材の一端は第１ハンドヘルド部に接続され、他端はラチェット刃に接続され、トーションバネ取付軸の両端は第１ハンドヘルド部の２つの側壁の内側に垂直に固定される。
【００５４】
さらに異なる実施形態では、トーションバネの一端は第１ハンドヘルド部に固定され、他端は弓状板スナップ孔またはラチェット刃の接続部スナップスロットに係合する。
【００５５】
本発明の有益な効果は、刃の迅速な交換を達成することができ、操作が簡単で使い勝手がよく、操作能力の要件が低く、一般的なユーザが刃を交換でき、これにより、切断工具の全体的な寿命を効果的に延ばすことができる、刃交換可能な切断工具を提供することである。
【図面の簡単な説明】
【００５６】
【図１】本発明の実施形態のロック状態における全体構成の概略図である。
【図２】本発明の第１の実施形態の第１ハンドヘルド部第１側壁を取り除いた構造概略図である。
【図３】本発明の第１の実施形態に係る第１ハンドヘルド部の構造概略図である。
【図４】本発明の第１の実施形態に係る第２ハンドヘルド部の構造概略図である。
【図５】本発明の第１の実施形態に係る第１および第２ハンドヘルド部の内部のいくつかの構成要素の構造概略図である。
【図６】本発明の第１の実施形態に係る刃取付板の構造概略図である。
【図７】本発明の第１の実施形態に係る切断構造および第１ハンドヘルド部の分解構造概略図である。
【図８】本発明の第１の実施形態に係る第２締結具の構造概略図である。
【図９】本発明の第１の実施形態に係る刃の構造概略図である。
【図１０】本発明の第１の実施形態に係るトグルレバーの構造概略図である。
【図１１】本発明の第１の実施形態に係る弾性片の構造概略図である。
【図１２】本発明の第１の実施形態に係る切断構造の分解構造概略図である。
【図１３】本発明の第１の実施形態のアンロック状態における全体構造の概略図である。
【図１４】本発明の第２の実施形態に係る切断構造の全体構造の概略図である。
【図１５】本発明の第２の実施形態に係る切断構造の分解構造概略図である。
【図１６】本発明の第２の実施形態に係る刃取付板の構造概略図である。
【図１７】本発明の第２の実施形態に係る刃の構造概略図である。
【図１８】本発明の第２の実施形態に係るピンの構造概略図である。
【図１９】本発明の第３の実施形態に係る切断構造の分解構造概略図である。
【図２０】本発明の第３の実施形態に係る切断構造の全体構造の概略図である。
【図２１】本発明の第３の実施形態に係る切断構造の第２クランプ板を取り外した状態の構造概略図である。
【図２２】本発明の第３の実施形態に係る刃取付板の構造概略図である。
【図２３】本発明の第３の実施形態に係る刃の構造概略図である。
【図２４】本発明の第３の実施形態に係る弾性部材とロックキーの構造概略図である。
【図２５】本発明の第４の実施形態の開状態における全体構造の概略図である。
【図２６】本発明の第４の実施形態に係る第１ハンドヘルド部の構造概略図である。
【図２７】本発明の第４の実施形態に係る第１ハンドヘルド部とその内部のいくつかの構成要素の構造概略図である。
【図２８】本発明の第４の実施形態に係る第２ハンドヘルド部の構造概略図である。
【図２９】本発明の第４の実施形態に係る第１および第２ハンドヘルド部の内部の構成要素の構造概略図である。
【図３０】本発明の第４の実施形態に係る着脱式ピンの構造概略図である。
【図３１】本発明の第４の実施形態に係るラチェット刃の構造概略図である。
【図３２】本発明の第５の実施形態の全体構造の概略図である。
【図３３】本発明の第５の実施形態の構造の一部の分解構造概略図である。
【図３４】本発明の第５の実施形態に係る第１および第２ハンドヘルド部の内部の構成要素の構造概略図である。
【図３５】本発明の実施形態５に係るラチェット刃の構造概略図である。
【図３６】本発明の第５の実施形態に係る着脱ピンの構造概略図である。
【発明を実施するための形態】
【００５７】
図中の構成要素には、次のように符号が付けられている。
【００５８】
１  第１ハンドヘルド部、  ２  第２ハンドヘルド部、  ３  刃取付板、  ４  刃、  ５  ラチェット刃、  ６  着脱式ピン、  ７  第１クランプ板、  ８  第２クランプ板、  ９  第１締結具、  １０  第２締結具、  １１  第１ハンドヘルド部第１側壁、  １２  第１ハンドヘルド部第２側壁、  １３  第１ハンドヘルド部開口キャビティ、  １４  第１ピン、  １５  第１バックル、  １６  第１弾性部材、  １７  第１弓状溝、  １８  第２弓状溝、  １９  第３弾性部材、  ２０  トーションバネ取付軸、  ２１  第２ハンドヘルド部第２側壁、  ２３  第２ハンドヘルド部開口キャビティ、  ２４  第２ピン、  ２５  第２バックル、  ２６  第２弾性部材、  ２７  ハンドヘルド部固定装置、  ３１  刃取付板本体、  ３２  弓状板、  ３３  刃取付板貫通孔、  ３４  刃取付板ラッチ部、  ３５  刃取付板バヨネット、  ３６  弾性片取付ノッチ、  ４１  突条部、  ４２  刃先部、  ４３  刃ラッチ部、  ４４  刃バヨネット、  ４５  刃固定バヨネット、  ４６  ブレードピン取付穴、  ５１  切断部、  ５２  弓状板、  ５３  接続部、  ５４  刃貫通孔、  ６１  中空軸、  ６２  回転部材、  ６３  ナット、  ６４  ネジ、  ６５  ネジベース、  ７１  第１クランプ板貫通孔、  ７２  第１腎臓形スロット、  ７３  第１クランプ板ピン取付穴、  ７４  第１制御孔、  ７５  第１クランプ板円弧板、  ７６  第１クランプ板ラチェット歯、  ７７  第１クランプ板ラチェット歯間隙、８１  第２クランプ板貫通孔、  ８２  第２腎臓形スロット、  ８３  第２クランプ板ピン取付穴、  ８４  第２制御孔、  ８５  第２クランプ板弓状板、  ８６  第２クランプ板ラチェット歯、  ８７  第２クランプ板ラチェット歯間隙、  ９１  トグルレバー、  ９２  弾性片、  ９３  ロック部材、  ９４  第４弾性部材、  ９５  ピン、  ９６  位置決めボール、  ９７  位置決めバネ、  ９８  ピンキャップ、  ９９  位置決めスロット、  １０１  ナットベース、  １０２  ステムナット、  １０３  スクリューベース、  １０４  スクリュー、  １１１  第１ハンドヘルド部第１側壁貫通孔、  １２１  第１ハンドヘルド部第２側壁貫通孔、  １３１  第１ハンドヘルド部第１開口、  １３２  第１ハンドヘルド部第２開口、  ３１１  刃取付板第１ラッチ部、  ３１２  刃取付板第２ラッチ部、  ３１３  刃取付板第３ラッチ部、  ３１４  刃取付板第１バヨネット、  ３１５  刃取付板第２バヨネット、３１６  弾性部材取付ノッチ、  ３１７  ロック部材取付ノッチ、  ３２１  ラチェット歯、  ３２２  ラチェット歯間隙、  ３６１  第１ノッチ部、  ３６２  第２ノッチ部、  ４１１  刃第１ラッチ部、  ４１２  刃第２ラッチ部、  ４１３  刃第１バヨネット、  ４１４  刃第２バヨネット、  ４１５  刃第３バヨネット、  ４１６  刃ロックラッチ部、  ４１７  刃ロックバヨネット、  ５１１  隆起部、  ５１２  刃先部、  ５２１  ラチェット歯、  ５２２  ラチェット歯間隙、  ５３１  接続部スナップスロット、  ５３２  弓状板スナップ孔、  ６１１  中空軸スリーブ、  ６１２  軸スリーブベース、  ６２１  回転軸、  ６２２  回転軸ベース、  ９１１  第１トグルノブ、  ９１２  第１トグルポスト、  ９１３  第２トグルノブ、  ９１４  第２トグルポスト、  ９２１  直線部、  ９２２  屈曲部、  ９３１  ロックレバー、  ９３��  ロックブロック、  ９３３  第３トグル部材、  ９３４  第４トグル部材。
【００５９】
本発明の好ましい実施形態は、その技術的内容がより明確かつ容易に理解されるように、明細書の添付図面を参照して以下に十分に説明される。本発明は、多くの異なる形態の実施形態で具現化することができ、その保護範囲は、本明細書に記載の実施形態に限定されない。
【００６０】
図面において、同一の構成要素には同一の符号を付し、類似の構造または機能を有する構成要素には同一の符号を付している。図面に示された各構成要素の寸法および厚さは任意に示されたものであり、本発明は各構成要素の寸法および厚さを限定するものではない。図をより明確にするために、構成要素の厚さは図面のいくつかの場所で適切に誇張されている。
【００６１】
本発明において言及されている上、下、前、後、左、右、内側、外側、側面、上部、底部、上端、下端、遠位端などの方向の用語は、単に図面中での方向であって、本発明を説明および例示することのみを意図しており、本発明の保護範囲を限定することを意図していない。
【００６２】
ある構成要素が別の構成要素の「上」にあると記載されている場合、その構成要素は別の構成要素の上に直接配置することができる。また、中間構成要素が存在してもよく、その上に構成要素が配置され、中間構成要素は別の構成要素の上に配置される。ある構成要素が別の構成要素に「取り付けられる」または「接続される」と記載されている場合、その２つは直接的に「取り付けられる」または「接続される」か、中間構成要素を介して間接的に「取り付けられる」または「接続される」と理解することができる。
【００６３】
（第１の実施形態）
図１〜図２に示すように、この実施形態は、第１ハンドヘルド部１、第２ハンドヘルド部２、刃取付板３、および刃４を含む刃交換式切断工具を提供する。
【００６４】
図３に示すように、第１ハンドヘルド部１は、対向して一体に設けられた第１ハンドヘルド部第１側壁１１と第１ハンドヘルド部第２側壁１２とを含む。第１ハンドヘルド部第１側壁１１と第１ハンドヘルド部第２側壁１２は、第２ハンドヘルド部２に向かって開口する第１ハンドヘルド部開口キャビティ１３を囲む。刃取付板３と刃４の一部とは、第１ハンドヘルド部開口キャビティ１３内に設けられている。
【００６５】
図４に示すように、この実施形態は、第１ピン１４、第１バックル１５、および第１弾性部材１６をさらに含み、第１ピン１４は、第１ハンドヘルド部１の２つの側壁１１，１２の内側に垂直に組み付けられる。第１ハンドヘルド部１および第２ハンドヘルド部２は、第１ピン１４に回転可能に軸支されている。第１バックル１５の後端は、第１ピン１４に回転可能に軸支され、その前端は、ラチェット歯の間隙３２２のいずれか１つに係合する。第１弾性部材１６の一端は第１ハンドヘルド部１に接続され、他端は第１バックル１５に接続されている。本実施形態における第１弾性部材１６は、好ましくはトーションバネであり、それにより第１バックル１５は一定の範囲内で回転することができる。図４〜図５に示すように、刃４が取り付けられた第１ハンドヘルド部１の端部は、第１弓状溝１７および第２弓状溝１８をさらに含む。第１弓状溝１７は、第１ハンドヘルド部第１側壁１１の縁に設けられる。第２弓状溝１８は、第１ハンドヘルド部第２側壁１２の縁であって、第１弓状溝１７とは反対側に設けられる。第１弓状溝１７および第２弓状溝１８は、それぞれ第１ハンドヘルド部開口キャビティ１３の開口部の両側に設けられ、２つの弓状溝１７，１８は、パイプを切断する機能を達成するために、パイプを配置し固定するために使用される。刃４は第１ハンドヘルド部開口キャビティ１３に直接面しており、切断工程が完了した後に刃４は第１ハンドヘルド部開口キャビティ１３に落ちる。
【００６６】
図４〜図５に示すように、第２ハンドヘルド部２は、第１ハンドヘルド部１に回転可能に接続されている。第２ハンドヘルド部２は、対向して一体に設けられた第２ハンドヘルド部第１側壁２１および第２ハンドヘルド部第２側壁２２を含む。第２ハンドヘルド部第１側壁２１および第２ハンドヘルド部第２側壁２２は、第２ハンドヘルド部開口キャビティ２３を囲む。第２ハンドヘルド部開口キャビティ２３は、第１ハンドヘルド部１に向かって開口している。
【００６７】
図４〜図５に示すように、この実施形態は、第２ピン２４、第２バックル２５および第２弾性部材２６をさらに含み、第２ピン２４は、第２ハンドヘルド部２の２つの側壁２１，２２の内側に垂直に組み付けられる。第２バックル２５の後端は、第２ピン２４に回転可能に軸支され、その前端は、ラチェット歯間隙３２２のいずれか１つに係合する。第２弾性部材１６の一端は第２ハンドヘルド部２に接続され、他端は第２バックル２５に接続されている。第２弾性部材２６は、好ましくは第２ピン２４に軸支されたトーションバネであり、その一端は第１ハンドヘルド部１に接続され、その他端は第２バックル２５に着脱可能に接続されているので、第２バックル２５は一定の範囲内で回転することができる。
【００６８】
本実施形態では、第１バックル１５または第２バックル２５は、第１弾性部材１６または第２弾性部材２６の作用下で、パイプの切断中に、適切な位置でラチェット歯の隙間に係合する。２つのバックルは、刃４と２つの弓状溝１７，１８との間に位置するパイプを切断する力を刃４が加えるのを助け、それによって省力効果を達成できる。パイプは切断中に振動し、使用者の手に不快感を与えるので、第１弾性部材１６または第２弾性部材２６は減衰および緩衝の機能を有してもよい。第１弾性部材１６および第２弾性部材２６は、第１ハンドヘルド部１および第２ハンドヘルド部２の開閉を補助することができ、その動作原理は同じタイプのパイプカッターの動作原理と同じであるので、ここでは説明を省略する。
【００６９】
図２に示すように、本実施形態は、一端が第１ハンドヘルド部１に接続され、他端が刃取付板３に接続された第３弾性部材１９をさらに含む。第３弾性部材１９は、好ましくは引張バネである。本実施形態では、第１ハンドヘルド部１および第２ハンドヘルド部２の開閉中、第３弾性部材１９は、刃取付板３および刃４が力を加えるのを補助したり、移動範囲を制限したりする。これにより、開き角度を適切な範囲内に収めることができ、使用中の部品の損傷を防ぎ、安全上のリスクを低減できる。
【００７０】
第２ハンドヘルド部２の端部には、一端が第２ハンドヘルド部２の端部にヒンジ接続されされ、他端が第１ハンドヘルド部１の端部に着脱可能に取り付けられた、第１ハンドヘルド部１と第２ハンドヘルド部２とを閉じるためのハンドヘルド部固定装置が設けられている。
【００７１】
図６に示すように、刃取付板３は回転可能に第１ハンドヘルド部１に取り付けられ、刃取付板３は刃取付板貫通孔３３を含み、刃取付板３は刃取付板貫通孔３３の中心軸を回転の軸として回転可能である。刃４は、刃取付板３に着脱可能に取り付けられ、好ましくは、刃４は刃取付板３と同一平面上にあり、刃４は刃取付板３と一体化され、その外縁形状、作動原理および機能は、完全なラチェット刃のそれと実質的に同等である。刃取付板３は、刃４が取り付けられた前端部と、弓状板３２が設けられた後端部と有する刃取付板本体３１を含む。弓状板３２はラチェットの一部であり、弓状板３２は弓状側部と非弓状側部とを含み、それらの側壁は、弓状側壁と非弓状側壁とを含む。弓状板３２の弓状側壁には、等間隔に配置された複数のラチェット歯３２１が設けられている。弓状板３２の弓状側壁は、第２ハンドヘルド部２に面している。第２ハンドヘルド部開口キャビティ２３内に設けられた第１バックル１５または第２バックル２５がいずれかのラチェット歯間隙３２２に係合するように、任意の２つの隣接するラチェット歯３２１の間にラチェット歯間隙３２２が形成される。
【００７２】
本実施形態は、使用時に開閉され、第１ハンドヘルド部１と第２ハンドヘルド部２とが相対的に回転し、刃取付板３の弓状板３２が第１バックル１５と第２バックル２５と協働する。これにより、刃４は効果的な切断動作を達成することができる。その動作原理は既存のラチェット式パイプカッターのそれと同じであり、ここでは説明されない。
【００７３】
図７に示すように、本実施形態は、刃４と刃取付板３とを固定するための第１クランプ板７および第２クランプ板８をさらに含む。第１クランプ板７は刃取付板３の一方の側に取り付けられて固定され、第２クランプ板８は刃取付板３の他方の側に取り付けられて固定され、刃４と刃取付板３との間の接続部は、第１クランプ板７と第２クランプ板８に挟まれている。
【００７４】
本実施形態は、第１締結具９および第２締結具１０をさらに含む。第１締結具９は、第１クランプ板７および第２クランプ板８を刃取付板３の両側に固定する。第１クランプ板７、第２クランプ板８および刃取付板３の縁部には、それらに対応する位置にそれぞれ複数の締結具取付孔（図示せず）が設けられている。第１締結具９は、限定はされないが、リベットやボルトを含み、第１クランプ板７、刃取付板３、および第２クランプ板８を順に貫通し、それによって第１クランプ板７、第２クランプ板８および刃取付板３が組み付けられる。
【００７５】
第２締結具１０は、第１ハンドヘルド部第１側壁１１、第１クランプ板７、刃取付板３、第２クランプ板８および第１ハンドヘルド部第２側壁１２を組み付ける。これにより、刃取付板３は第１ハンドヘルド部１にヒンジ結合され、両者は相対的に回転できる。
【００７６】
具体的には、第１ハンドヘルド部第１側壁１１には、第１ハンドヘルド部第１側壁貫通孔１１１が設けられている。第１ハンドヘルド部第２側壁１２には、第１ハンドヘルド部第２側壁貫通孔１２１が設けられている。第１クランプ板７には、第１クランプ板貫通孔７１が設けられている。第２クランプ板８には、第２クランプ板貫通孔８１が設けられている。刃取付板３には、刃取付板貫通孔３３が設けられている。第２締結具１０は、限定はされないが、ボルトを含み、第１ハンドヘルド部第１側壁貫通孔１１１、第１クランプ板貫通孔７１、刃取付板貫通孔３３、第２クランプ板貫通孔８１および第１ハンドヘルド部第２側壁貫通孔１２１を順に貫通する。
【００７７】
図７〜図８に示すように、第２締結具１０は、好ましくは、ナット部とネジ部とを含むボルトであり、ナット部は一体に形成されたナットベース１０１とステムナット１０２とを含み、ネジ部は一体に形成されたスクリューベース１０３とスクリュー１０４とを含む。ナットベース１０１は、第１ハンドヘルド部第１側壁１１の外面に取り付けられ、スクリューベース１０３は、第１ハンドヘルド部第２側壁１２の外面に取り付けられている。ステムナット１０２は、ナットベース１０１に対して垂直に固定され、第１ハンドヘルド部第１側壁貫通孔１１１、第１クランプ板貫通孔７１、刃取付板貫通孔３３、第２クランプ板貫通孔８１および第１ハンドヘルド部第２側壁貫通孔１２１を順に貫通する。ステムナット１０２の中心にはネジ穴が設けられており、スクリュー１０４は、ナットベース１０１とスクリューベース１０３の相対位置を調整するために当該ネジ穴に回転可能にねじ込まれている。
【００７８】
刃取付板３、刃４、第１クランプ板７および第２クランプ板８は、全体として切断構造を構成しており、本実施形態の切断構造はラチェット式の部材である。
【００７９】
図６に示すように、本実施形態では、刃取付板３は、刃取付板ラッチ部３４と、刃取付板バヨネット３５と、を含む。刃取付板ラッチ部３４は、刃取付板本体３１の前端に設けられ、弓状板３２の中央の非弓状側部に接続されている。刃取付板バヨネット３５は、刃取付板ラッチ部３４と弓状板３２との間に設けられ、刃４に向かって開口する。
【００８０】
図６および図９に示すように、本実施形態では、刃４は、一体に設けられた突条部４１および刃先部４２を含み、さらに刃ラッチ部４３および刃バヨネット４４を含んでいる。刃ラッチ部４３は、刃先部４２とは反対側の刃４の縁部に設けられ、刃先部４２と同じ方向にある。刃ラッチ部４３は、刃取付板バヨネット３５に係合する。刃バヨネット４４は刃ラッチ部４３と刃先部４２との間に設けられ、刃取付板ラッチ部３４は刃バヨネット４４に係合しているので、刃取付板３は刃４と一体に組み立てられ、比較的安定する。
【００８１】
図６、７および９に示すように、刃取付板３は弾性片取付ノッチ３６を含み、弾性片取付ノッチ３６は、弓状板３２の弓状側壁から遠い側に設けられ、刃４に向かって開口し、弾性片を組み付けるために使用される。弾性片取付ノッチ３６は、第１ノッチ部３６１と第２ノッチ部３６２とを含み、第１ノッチ部３６１の開口部は、弓状板３２の弓状側壁から遠い側に位置し、第２ノッチ部３６２は、第１ノッチ部３６１と連通し、第１ノッチ部３６１に対して直交するように設けられている。刃４は、弾性片取付ノッチ３５とは反対側、具体的には、第１ノッチ部３６１の一部に対向するように設けられた刃固定バヨネット４５を含む。
【００８２】
図７に示すように、第１クランプ板７には第１腎臓形スロット７２が設けられ、第２クランプ板８には第１腎臓形スロット７２に対向するように第２腎臓形スロット８２が設けられる。第１腎臓形スロット７２および第２腎臓形スロット８２は、第１ノッチ部３６１および刃固定バヨネット４５の一部に対向するように設けられ、トグルレバー９１を配置するための、第１クランプ板７、刃取付板３および第２クランプ板８のすべてを貫通するトグル貫通孔を構成する。
【００８３】
図７および図１０に示すように、本実施形態はトグルレバー９１をさらに含み、トグルレバー９１は、第１腎臓形スロット７２、弾性片取付ノッチ３６、および／または、刃固定バヨネット４５、第２腎臓形スロット８２を順に貫通する。トグルレバー９１は、互いに連結された第１トグル部材と第２トグル部材とを含む。第１トグル部材は、一体に形成された第１トグルノブ９１１と第１トグルポスト９１２とを含む。第２トグル部材は、一体に形成された第２トグルノブ９１３と第２トグルポスト９１４とを含む。
【００８４】
図１、図２および図１０に示すように、第１トグル部材および第２トグル部材は、それぞれ刃取付板３の両側から第１腎臓形スロット７２および第２腎臓形スロット８２に挿入され、組み合わされてトグルレバー９１となる。第１トグルノブ９１１は、第１クランプ板７１に接しており、第１クランプ板７の外側に露出している。第２トグルノブ９１３は、第２クランプ板８に接しており、第２クランプ板８の外側に露出している。第１トグルポスト９１２は第１腎臓形スロット７２を通過し、第２トグルポスト９１４は第２腎臓形スロット８２を通過して第１トグルポスト９１２に接続される。第１トグルポスト９１２の中央にはネジ付きキャビティがあり、第２トグルポスト９１４は、第１トグルポスト９１２の当該キャビティに挿入される。第１トグルノブ９１１は、ユーザがトグルレバー９１を用いて刃を交換できるように、第１ハンドヘルド部１の外側に露出する。
【００８５】
図１１および図１２に示すように、本実施形態は、弾性片取付ノッチ３６内に設けられた弾性片９２をさらに含む。弾性片９２の一端は刃取付板３に固定され、他端はトグルレバー９１の側壁に接している。具体的には、弾性片９２は、第１トグルポスト９１２を刃固定バヨネット４５に対して押しつけて刃４を刃取付板３に固定するために、第１トグルポスト９１２の側壁に接している。第１トグルノブ９１１が切り替えられると、第１トグルポスト９１２が刃固定バヨネット４５から外れ、刃４を刃先方向に取り外すことができる。
【００８６】
弾性片９２は、一体に形成された直線部９２１と屈曲部９２２とを含む。直線部９２１は、第１ノッチ部３６１内に設けられている。屈曲部９２２は、第２ノッチ部３６２内に設けられている。直線部９２１の一端は、屈曲部９２２に接続され、他端は、トグルレバー９１（第１トグルポスト９１２）の側壁に接している。図１、図１１および図１２に示すように、刃４が刃取付板３に取り付けられると、トグルレバー９１はロック位置にあり、弾性片９２はわずかに変形し、トグルレバー９１が刃固定バヨネット４５に押し込まれる。刃ラッチ部４３は刃取付板バヨネット３５に係合し、刃取付板ラッチ部３４は刃バヨネット４４に係合しているので、刃取付板３は刃４にロックされ、本実施形態の切断工具が通常使用可能となる。その具体的な使用方法は、刃固定式パイプカッターと同様であるため、ここでは説明を省略する。
【００８７】
図１３に示すように、刃４が損傷して刃４を交換する必要がある場合、トグルレバー９１をロック位置９３からロック解除位置に切り替えるだけでよく、弾性片９２は大きく変形し、トグルレバー９１は刃固定バヨネット４５から外され、弾性片取付ノッチ３６内をスライドする。これにより、ユーザーは、刃取付板３から刃４を突条部４１の方向に引き出し、替え刃を刃取付板３に取り付け、トグルレバー９１を解放することができる。トグルレバー９１は、弾性片９２の作用でロック位置に戻り、刃取付板３に新しく取り付けられた替え刃をロックする。これにより、切断工具は正常に使用されるようになり、刃交換プロセス全体が完了する。
【００８８】
本実施形態の有益な効果は、刃の迅速な交換を達成することができ、操作が簡単で使い勝手がよく、操作能力の要件が低く、一般的なユーザが刃を交換でき、これにより、切断工具の全体的な寿命を効果的に延ばすことができる、刃交換可能な切断工具を提供することである。
【００８９】
（第２の実施形態）
本実施形態は、切断構造の特徴が異なることを除いて、第１の実施形態の技術的特徴の大部分を含む、刃交換可能な切断工具を提供するものであり、図１４〜図１５に示すように、切断構造は刃取付板３、刃４、第１クランプ板７および第２クランプ板８によって集合的に構成される。
【００９０】
具体的には、本実施形態に係る切断構造もラチェット型部材であり、刃取付板３は第１ハンドヘルド部１に回転可能に取り付けられ、ブレード４は、刃取付板３に着脱可能に取り付けられている。
【００９１】
図１６に示すように、刃取付板３は、刃４が取り付けられた前端部と、弓状板３２が設けられた後端部と有する刃取付板本体３１を含む。弓状板３２はラチェットの一部であり、弓状板３２は弓状側部と非弓状側部とを含み、それらの側壁は、弓状側壁と非弓状側壁とを含む。弓状板３２の弓状側壁には、等間隔に配置された複数のラチェット歯３２１が設けられている。第２ハンドヘルド部開口キャビティ２３内に設けられた第１バックル１５または第２バックル２５がいずれかのラチェット歯間隙３２２に係合するように、任意の２つの隣接するラチェット歯３２１の間にラチェット歯間隙３２２が形成される。
【００９２】
刃取付板３は刃取付板貫通孔３３を含み、刃取付板３は刃取付板貫通孔３３の中心軸を回転の軸として回転可能である。
【００９３】
本実施形態では、刃取付板３は、刃取付板ラッチ部３４と、刃取付板バヨネット３５と、を含む。刃取付板ラッチ部３４は、刃取付板本体３１の前端に設けられ、弓状板３２の中央の非弓状側部に接続されている。刃取付板バヨネット３５は、刃取付板ラッチ部３４と弓状板３２との間に設けられ、刃４に向かって開口する。
【００９４】
図１５〜図１７に示すように、本実施形態では、刃４は、一体に設けられた突条部４１および刃先部４２を含み、さらに刃ラッチ部４３および刃バヨネット４４を含む。刃ラッチ部４３は、刃先部４２とは反対側の刃４の縁部に設けられ、刃先部４２と同じ方向にある。刃ラッチ部４３は、刃取付板バヨネット３５に係合する。刃バヨネット４４は刃ラッチ部４３と刃先部４２との間に設けられ、刃取付板ラッチ部３４は刃バヨネット４４に係合しているので、刃取付板３は刃４と一体に組み立てられ、比較的安定する。
【００９５】
本実施形態は、トグルレバー９１および弾性片９２を含まず、刃取付板３も弾性片取付ノッチ３６を含まず、第１クランプ板７には第１腎臓形スロット７２は設けられておらず、第２クランプ板８にも第２腎臓形スロット８２は設けられていない。
【００９６】
図１５および１７に示すように、本実施形態は、ブレードピン取付穴４６と、第１クランプ板ピン取付穴７３と、第２クランプ板ピン取付穴８３と、を含む。ブレードピン取付穴４６は、刃４を貫通し、刃取付板３に近い突条部４１の部分に位置している。第１クランプ板ピン取付穴７３は、第１クランプ板７を貫通し、ブレードピン取付穴４６に対向するよう設けられている。第２クランプ板ピン取付穴８３は、第２クランプ板８を貫通し、ブレードピン取付穴４６に対向するよう設けられている。
【００９７】
図１８に示すように、本実施形態は、ピン９５、位置決めボール９６、および位置決めバネ９７を含む。ピン９５は、第２クランプ板ピン取付穴８３、ブレードピン取付穴４６および第１クランプ板ピン取付穴７３を順に貫通する。ピン９５の一端にはピンキャップ９８が設けられ、他端の側壁には凹状の位置決めスロット９９が設けられている。位置決めボール９６は、位置決めスロット９９の開口部に設けられ、位置決めバネ９７の一端は位置決めスロット９９の底部に固定接続され、他端は位置決めボール９６に固定接続されている。位置決めスロット９９の開口部の直径は、位置決めボール９６が位置決めスロット９９から完全に滑り出ることを防ぐために、位置決めボール９６の直径よりわずかに小さい。
【００９８】
刃４が刃取付板３に取り付けられると、位置決めバネ９７は通常の形状になり、位置決めボール９６はピン９５を超えて突出し、ピン９５は刃４と刃取付板３の両方を通過する。刃ラッチ部４３は刃取付板バヨネット３５に係合し、刃取付板ラッチ部３４は刃バヨネット４４に係合しているため、刃４は刃取付板３にロックされる。これにより、本実施形態に係る切断工具は正常に使用されうる。その具体的な使用方法は、刃固定式パイプカッターと同様であるため、ここでは説明を省略する。
【００９９】
刃４が損傷して刃４を交換する必要がある場合、位置決めボール９６を押し下げてから位置決めバネ９７を圧縮するだけでよく、位置決めボール９６が位置決めスロット９９に完全に引き込まれたら、ユーザは、ピン９５を引き出し、突条部４１の方向に刃４を引き出し、刃取付板３に替え刃を取り付け、ピン９５を挿入し、新しく取り付けた替え刃を刃取付板３にロックすることができる。これにより、切断工具は正常に使用されるようになり、刃交換プロセス全体が完了する。
【０１００】
本実施形態の有益な効果は、刃の迅速な交換を達成することができ、操作が簡単で使い勝手がよく、操作能力の要件が低く、一般的なユーザが刃を交換でき、これにより、切断工具の全体的な寿命を効果的に延ばすことができる、刃交換可能な切断工具を提供することである。
【０１０１】
（第３の実施形態）
本実施形態は、切断構造の特徴が異なることを除いて、切断構造の特徴が異なることを除いて、第１の実施形態の技術的特徴の大部分を含む、刃交換可能な切断工具を提供するものであり、図１９から図２０に示すように、切断構造は、刃取付板３、刃４、第１クランプ板７および第２クランプ板８によって集合的に構成される。
【０１０２】
刃取付板３は、第１ハンドヘルド部１に回転可能に取り付けられている。刃４は、刃取付板３に着脱可能に取り付けられている。
【０１０３】
図２１から図２４に示すように、刃取付板３は、刃４が取り付けられた前端部と、弓状板３２が設けられた後端部と有する刃取付板本体３１を含む。弓状板３２はラチェットの一部であり、弓状板３２は弓状側部と非弓状側部とを含み、弓状板３２の側壁は、弓状側壁と非弓状側壁とを含む。弓状板３２の弓状側壁には、等間隔に配置された複数のラチェット歯３２１が設けられている。第２ハンドヘルド部開口キャビティ２３内に設けられた第１バックル１５または第２バックル２５がいずれかのラチェット歯間隙３２２に係合するように、任意の２つの隣接するラチェット歯３２１の間にラチェット歯間隙３２２が形成される。刃取付板３は刃取付板貫通孔３３を含み、刃取付板３は刃取付板貫通孔３３の中心軸を回転の軸として回転可能である。
【０１０４】
刃取付板３と刃４の両方には、互いに協働して対応する係合構造を形成する複数のラッチ部とバヨネットが設けられており、これにより、刃取付板３と刃４は一体に組み立てられ、比較的安定する。
【０１０５】
本実施形態では、刃取付板３は、刃取付板第１ラッチ部３１１、刃取付板第２ラッチ部３１２および刃取付板第３ラッチ部３１３を含む。刃取付板第１ラッチ部３１１は、刃取付板本体３１の前端に設けられる。刃取付板第２ラッチ部３１２は、刃取付板本体３１の中央に設けられ、突条部４１に対応する。刃取付板第３ラッチ部３１３は、刃取付板本体３１の中央に設けられ、刃先部４２に対応する。
【０１０６】
刃取付板３は、刃取付板第１バヨネット３１４および刃取付板第２バヨネット３１５をさらに含む。刃取付板第１バヨネット３１４は、刃取付板第１ラッチ部３１１とロック部材９３との間に設けられる。刃取付板第２バヨネット３１５は、刃取付板第２ラッチ部３１２と刃取付板第３ラッチ部３１３との間に設けられる。
【０１０７】
刃４は、一体に設けられた突条部４１および刃先部４２を含み、さらに刃第１ラッチ部４１１、刃第２ラッチ部４１２、刃第１バヨネット４１３、刃第２バヨネット４１４および刃第３バヨネット４１５を含む。
【０１０８】
刃第１ラッチ部４１１は、突条部４１の頂部から突出し、刃取付板第１バヨネット３１４に係合する。刃第２ラッチ部４１２は、突条部４１の後端から突出し、刃取付板第２バヨネット３１５に係合する。
【０１０９】
刃第１バヨネット４１３は、突条部４１の前端に設けられる。刃取付板第１ラッチ部３１１は、刃第１バヨネット４１３に係合し、刃第１ラッチ部４１１に接する。刃第２バヨネット４１４は、突条部４１の後端に設けられる。刃取付板第２ラッチ部３１２は、刃第２バヨネット４１４に係合する。刃第３バヨネット４１５は、刃先部４２の後端に設けられる。刃取付板第３ラッチ部３１３は、刃第３バヨネット４１５に係合し、刃第２バヨネット４１４に接する。
【０１１０】
刃取付板３は、弾性部材取付ノッチ３１６およびロック部材取付ノッチ３１７を含む。弾性部材取付ノッチ３１６は、弾性部材を取り付けるために刃取付板第１バヨネット３１４に連通する。ロック部材取付ノッチ３１７は、ロックキーを取り付けるために弾性部材取付ノッチ３１６に連通する。
【０１１１】
刃４は、刃ロックラッチ部４１６および刃ロックバヨネット４１７を含む。刃ロックラッチ部４１６は、刃第１ラッチ部４１１から後方に突出する。刃ロックバヨネット４１７は、刃ロックラッチ部４１６、刃第１ラッチ部４１１および突条部４１によって囲まれている。
【０１１２】
本実施形態に係る切断工具は、ロック部材９３および第４弾性部材９４をさらに含む。ロック部材９３は、一体に設けられたロックレバー９３１およびロックブロック９３２を含む。ロックレバー９３１は、弾性部材取付ノッチ３１６内をスライドし、刃ロックバヨネット４１７に係合する前端を有する。ロックブロック９３２は、ロックレバー９３１の中央に接続され、弾性部材取付ノッチ３１６内をスライドする。ロック部材９３は刃４を刃取付板３にロックするために使用され、ユーザがロック部材９３をスライドさせると、刃４は刃取付板３から取り外される。第４弾性部材９４は、弾性部材取付ノッチ３１６内に設けられ、第４弾性部材９４の一端はロックブロック９３２の側壁に接続され、他端は弾性部材取付ノッチ３１６の内側側壁に接続される。第４弾性部材９４は、好ましくは渦巻きバネである。第４弾性部材９４はロック部材９３が刃を通常の状態でロックすることを可能に、ロック部材９３は外力の作用下でロック部材取付ノッチ３１７内をスライドすることができる。
【０１１３】
図１９および図２４に示すように、第１クランプ板７には、ロックブロック９３２に対向するように第１制御孔７４が設けられている。ロックブロック９３２の第１クランプ板７に面する側には、突出した第３トグル部材９３３が設けられている。第３トグル部材９３３は、第１制御孔７４を通過する。第２クランプ板８には、ロックレバー９３１の前端に対向するように第２制御孔８４が設けられている。ロックレバー９３１の前端の第２クランプ板８に面する側には、突出した第４トグル部材９３４が設けられている。第４トグル部材９３４は、第２制御孔８４を通過する。第３トグル部材９３３および第４トグル部材９３４はそれぞれ、刃取付板３の両側に設けられ、刃取付板３および第１ハンドヘルド部１の外側に露出している。これにより、ユーザは、刃取付板３の両側の任意の方向からロック部材９３をトグルできるため、ロック部材９３はロック部材取付ノッチ３１７内でスライドする。
【０１１４】
第１クランプ板７は、第１クランプ板弓状板７５、第１クランプ板ラチェット歯７６および第１クランプ板ラチェット歯間隙７７を含む。第１クランプ板弓状板７５は、第１クランプ板７の後端に設けられる。第１クランプ板弓状板７５は、ラチェットの一部である。第１クランプ板ラチェット歯７６は、第１クランプ板弓状板７５の弓状側壁に設けられる。第１クランプ板ラチェット歯間隙７７は、任意の２つの隣接する第１クランプ板ラチェット歯７６の間に設けられる。第２クランプ板８は、第２クランプ板弓状板、第２クランプ板ラチェット歯８６および第２クランプ板ラチェット歯間隙８７を含む。第２クランプ板弓状板８５は、第２クランプ板８の後端に設けられる。第２クランプ板弓状板８５は、ラチェットの一部である。第２クランプ板ラチェット歯８６は、第２クランプ板弓状板８５の弓状側壁に設けられる。第２クランプ板ラチェット歯間隙８７は、２つの隣接する第２クランプ板ラチェット歯８６の間に設けられる。第１クランプ板円弧板７５、第２クランプ板弓状板８５および刃取付板３の弓状板３２は、同じ形状およびサイズを有し、第１クランプ板ラチェット歯間隙７７、第２クランプ板ラチェット歯間隙８７および刃取付板３のラチェット歯間隙３２２は、同じ形状および対応する位置を有する。第２ハンドヘルド部開口キャビティ２３の第１バックル１５または第２バックル２５は、ラチェット歯間隙３２２のいずれかに係合し、第１クランプ板ラチェット歯間隙７７および第２クランプ板ラチェット歯間隙８７にも係合する。
【０１１５】
本実施形態の動作中、刃４が刃取付板３に取り付けられると、第４弾性部材９４はわずかに変形し、ロックレバー９３１の前端が刃ロックバヨネット４１７に挿入される。刃第１ラッチ部４１１は、刃取付板第１バヨネット３１４に係合し、刃第２ラッチ部４１２は、刃取付板第２バヨネット３１５に係合しているため、刃４は刃取付板３にロックされる。これにより、本実施形態の切断工具は正常に使用されうる。その具体的な使用方法は、刃固定式パイプカッターと同様であるため、ここでは説明を省略する。
【０１１６】
刃４が損傷して刃４を交換する必要がある場合、第３トグル部材９３３または第４トグル部材９３４が切り替えられ、第４弾性部材９４が圧縮されて変形し、ロックレバー９３１の前端が刃ロックバヨネット４１７から外される。これにより、ユーザは、刃取付板３から刃４を刃先部４２の方向に引き出し、替え刃を刃取付板３に取り付け、第３トグル部材９３３または第４トグル部材９３４を解放することができる。ロックレバー９３１の前端は、第４弾性部材９４の作用下で、刃ロックバヨネット４１７に挿入される。刃取付板３に新しく取り付けられた替え刃をロックする。これにより、切断工具は正常に使用されるようになり、刃交換プロセス全体が完了する。
【０１１７】
本実施形態の有益な効果は、刃の迅速な交換を達成することができ、操作が簡単で使い勝手がよく、操作能力の要件が低く、一般的なユーザが刃を交換でき、これにより、切断工具の全体的な寿命を効果的に延ばすことができる、刃交換可能な切断工具を提供することである。
【０１１８】
（第４の実施形態）
図２５に示すように、本実施形態は、第１ハンドヘルド部１、第２ハンドヘルド部２およびラチェット刃５を含む、刃交換可能な切断工具を提供する。ラチェット刃５は、ラチェット形状に設計された側壁の一部を有する刃を指す。ラチェット刃５は弓状板５２を含み、弓状板５２はラチェット一部であり、弓状板５２の弓状側壁には複数の均等に分布したラチェット歯５２１が設けられている。ラチェット歯間隙５２２は、任意の２つの隣接するラチェット歯５２１の間に形成される。本実施形態では、第１、第２または第３の実施形態の刃取付板３および刃４がラチェット刃５に置き換えられており、ラチェット刃５の構造は刃取付板３と刃４の組み合わせによって形成される構造と同様である。
【０１１９】
図２６〜図２９に示すように、第１ハンドヘルド部１は、互いに対抗して一体に設けられた第１ハンドヘルド部第１側壁１１および第１ハンドヘルド部第２側壁１２を含む。第１ハンドヘルド部第１側壁１１および第１ハンドヘルド部第２側壁１２は、第１ハンドヘルド部開口キャビティ１３を囲み、第１ハンドヘルド部開口キャビティ１３は、第１ハンドヘルド部第１開口部１３１および第１ハンドヘルド部第２開口部１３２を含む。第１ハンドヘルド部第１開口部１３１は、第２ハンドヘルド部２に面し、第１ハンドヘルド部第２開口部１３２は第１ハンドヘルド部１の外側に面している。ラチェット刃５の一部は、第１ハンドヘルド部開口キャビティ１３内に位置する。
【０１２０】
本実施形態は、第１ピン１４、第１バックル１５および第１弾性部材１６をさらに含む。第１ピン１４は第１ハンドヘルド部１の２つの側壁１１，１２の内側に垂直に組み立てられる。第１ハンドヘルド部１および第２ハンドヘルド部２は、第１ピン１４に回転可能に軸支されている。第１バックル１５の後端は、第１ピン１４に回転可能に軸支され、前端は、ラチェット歯間隙のいずれか１つに係合する。第１弾性部材１６の一端は第１ハンドヘルド部１に接続され、他端は第１バックル１５に接続されている。本実施形態の第１弾性部材１６は、好ましくは引張バネである。
【０１２１】
ラチェット刃５が設けられた第１ハンドヘルド部１の端部は、第１弓状溝１７および第２弓状溝１８をさらに含む。第１弓状溝１７は、第１ハンドヘルド部第１側壁１１の縁に設けられる。第２弓状溝１８は、第１ンドヘルド部第２側壁１２の縁であって、第１弓状溝１７とは反対側に設けられる。第１弓状溝１７および第２弓状溝１８は、それぞれ第１ハンドヘルド部開口キャビティ１３の両側に設けられ、２つの弓状溝は、パイプを切断する機能を達成するために、パイプを配置し固定するために使用される。ラチェット刃５の刃先は、第１ハンドヘルド部開口キャビティ１３に直接面しており、切断工程が完了した後に当該刃先は第１ハンドヘルド部開口キャビティ１３に落ちる。
【０１２２】
第２ハンドヘルド部２は、第１ハンドヘルド部１に回転可能に接続されている。第２ハンドヘルド部２は、互いに対向して一体に設けられた第２ハンドヘルド部第１側壁２１および第２ハンドヘルド部第２側壁２２を含む。第２ハンドヘルド部第１側壁２１および第２ハンドヘルド部第２側壁２２は、第２ハンドヘルド部開口キャビティ２３を囲む。第２ハンドヘルド部開口キャビティ２３は、第１ハンドヘルド部１に向かって開口している。
【０１２３】
本実施形態は、第２ピン２４、第２バックル２５および第２弾性部材２６をさらに含み、第２ピン２４は、第２ピン２４は、第２ハンドヘルド部２の２つの側壁２１，２２の内側に垂直に組み付けられる。第２バックル２５の後端は、第２ピン２４に回転可能に軸支され、その前端は、ラチェット歯間隙のいずれか１つに係合する。第２弾性部材１６の一端は第２ハンドヘルド部２に接続され、他端は第２バックル２５に接続されている。第２弾性部材２６は、好ましくは第２ピン２４に軸支されたトーションバネであり、その一端は第１ハンドヘルド部１に接続され、その他端は第２バックル２５に着脱可能に接続されている。
【０１２４】
本実施形態では、第１バックル１５または第２バックル２５は、第１弾性部材１６または第２弾性部材２６の作用下で、パイプの切断中に、適切な位置でラチェット歯の隙間に係合する。２つのバックルは、ラチェット刃５と２つの弓状溝１７，１８との間に位置するパイプを切断する力を刃４が加えるのを助け、それによって省力効果を達成できる。
【０１２５】
本実施形態は、第１のハンドヘルド部分１とラチェットブレード５との間の接続部に設けられた着脱式ピン６をさらに含む。第１ハンドヘルド部１およびラチェット刃５は、着脱式ピン６の周りで回転可能である。これにより、本実施形態の切断工具は正常に使用されうる。その具体的な使用方法は、刃固定式パイプカッターと同様であるため、ここでは説明を省略する。
【０１２６】
第１ハンドヘルド部第１側壁１１には、第１ハンドヘルド部第１側壁貫通孔１１１が設けられている。第１ハンドヘルド部第２側壁１２には、第１ハンドヘルド部第２側壁貫通孔１２１が設けられている。ラチェット刃５には、刃貫通孔５４が設けられている。着脱式ピン６は、第１ハンドヘルド部第１側壁貫通孔１１１、刃貫通孔５４および第１ハンドヘルド部第２側壁貫通孔１２１を順に貫通する。ラチェット刃５は、着脱式ピン６を介して第１ハンドヘルド部１に回転可能に接続される。
【０１２７】
図３０に示すように、着脱式ピン６は、組み合わされた中空軸６１および回転部材６２を含む。回転部材６２は、中空軸６１に着脱可能に組み付けられる。
【０１２８】
中空軸６１は、一体に形成された中空軸スリープ６１１および軸スリーブベース６１２を含む。中空軸スリープ６１１は、第１ハンドヘルド部第１側壁貫通孔１１１、刃貫通孔５４および第１ハンドヘルド部第２側壁貫通孔１２１を順に貫通する。軸スリーブベース６１２は、第１ハンドヘルド部第１側壁１１の外側に露出する。
【０１２９】
回転部材６２は、一体に形成された回転軸６２１および回転軸ベース６２２を含む。回転軸６２１は、中空軸スリーブ６１１に挿入され、ネジ接続される。回転軸ベース６２２は、第１ハンドヘルド部第２側壁１２の外側に露出し、その外面には平坦または十字形の溝が設けられている。
【０１３０】
図３１に示すように、ラチェット刃５は、一部の側壁がラチェット形状に設計された刃を指し、切断部５１、弓状板５２および接続部５３を含む。本実施形態は、使用中に開閉され、第１ハンドヘルド部１および第２ハンドヘルド部２は相対的に回転し、切断部５１が効果的な切断動作を達成することができるようにラチェット刃５の弓状板３２は第１バックル１５および第２バックル２５と協働する。動作原理はここでは説明されない。切断部５１は、物品を切断するためにラチェット刃５の先端に設けられている。切断部５１は、隆起部５１１および刃先部５１２を含む。隆起部５１１は、第１ハンドヘルド部１の外側に面し、刃先部５１２は第１ハンドヘルド部第２開口部１３２に面している。刃先部５１２は、直線状または弓状である。第１ハンドヘルド部１および第２ハンドヘルド部２が閉じられると、刃先部５１２がパイプを切断するために使用される。
【０１３１】
弓状板５２は、ラチェット刃５の後端に設けられる。弓状板５２は、ラチェット歯５２１およびラチェット歯間隙５２２を含むラチェットの一部として設計されている。ラチェット歯５２１は、弓状板５２の弓状側壁に設けられ、ラチェット歯間隙５２２は、任意の２つの隣接するラチェット歯５２１の間に設けられる。第１ハンドヘルド部第２側壁１２の第１ハンドヘルド部第１側壁１１に面する側には、第１バックル１５および／または第２バックル２５が設けられ、ラチェット歯間隙５２２のいずれかに係合する。
【０１３２】
接続部５３は、切断部５１と弓状板５２との間に設けられ、第１ハンドヘルド部第１側壁１１に回転可能に接続される。接続部５３は、接続部５３の側壁に凹み、第３弾性部材１９の一端によって係合される接続部スナップスロット５３１を含む。
【０１３３】
図２９に示すように、本実施形態はさらに、一端が第１ハンドヘルド部１に接続され、他端がラチェット刃５に接続された第３弾性部材１９を含む。第３弾性部材１９は、好ましくは、トーションバネ取付軸２０に軸支されたダブルトーションバネなどのトーションバネであり、トーションバネ取付軸２０の両端は、第１ハンドヘルド部１の２つの側壁１１，１２の内側に垂直に固定される。第３弾性部材１９の一端は、第１ハンドヘルド部１に固定され、他端は、ラチェット刃５に接続され、本実施形態では、ラチェット刃５の接続部スナップスロット５３１に係合する。
【０１３４】
本実施形態では、第１ハンドヘルド部１および第２ハンドヘルド部２の開閉中、第３弾性部材１９は、力を加えるのを補助したり、刃の回転範囲を制限したりする。これにより、開き角度を適切な範囲内に収めることができ、使用中の部品の損傷を防ぎ、安全上のリスクを低減できる。
【０１３５】
図２５に示すように、第２ハンドヘルド部２の遠位端には、一端が第２ハンドヘルド部２の遠位端にヒンジ接続され、他端が第１ハンドヘルド部１の遠位端に着脱可能に取り付けられた、第１ハンドヘルド部１と第２ハンドヘルド部２とを閉じるためのハンドヘルド部固定装置２７が設けられている。
【０１３６】
ラチェット刃５が損傷し、ラチェット刃５を交換する必要がある場合、ユーザは、ドライバなどの手持工具を用いて中空軸６１から回転部材６２を取り外すことができ、それにより、着脱式ピン６を第１ハンドヘルド部１から取り外すことができ、ラチェット刃５は第１ハンドヘルド部１から分離され、ユーザは、元のラチェット刃５と全く同じ形状およびサイズを有する替え刃に交換できる。替え刃の取付中、替え刃は、当該替え刃の刃貫通孔５４が第１ハンドヘルド部第１側壁貫通孔１１１および第１ハンドヘルド部第２側壁貫通孔１２１と同じ直線上にくるように、第１ハンドヘルド部１内に配置される。その後、ユーザは、中空軸６１を、第１ハンドヘルド部第１側壁貫通孔１１１、刃貫通孔５４および第１ハンドヘルド部第２側壁貫通孔１２１に順に通し、回転部材６２に接続する。ユーザは、ドライバなどの手持工具を用いて回転部材６２を中空軸６１に取り付けることができ、これにより、それら２つが相対的に固定される。
【０１３７】
本実施形態の有益な効果は、着脱式ピンによってラチェット刃が第１ハンドヘルド部に組み付けられ、これによりラチェット刃が第１ハンドヘルド部から容易かつ迅速に分離され、これによりラチェット刃の交換を達成できる、刃交換可能な切断工具を提供することである。本実施形態は、操作が簡単で使い勝手がよく、操作能力の要件が低く、一般的なユーザが刃を交換でき、これにより、切断工具の全体的な寿命を効果的に延ばすことができる。
【０１３８】
（第５の実施形態）
本実施形態は、図３２に示すように、第１ハンドヘルド部１、第２ハンドヘルド部２、および着脱式ピン６によって第１ハンドヘルド部第１側壁１１に回転可能に取り付けられた２以上のラチェット刃５を含む、刃交換可能  な切断工具を提供する。
【０１３９】
第５の実施形態は、第４の実施形態の技術的特徴の大分部を含み、違いとなる技術的特徴は、図３２〜３６に示すように、第５の実施形態では、着脱式ピン６がナット６３およびネジ６４を含んでいることである。ナット６３は第１ハンドヘルド部第１側壁１１の外側に露出する。ネジ６４は、第１ハンドヘルド部第１側壁貫通孔１１１、刃貫通孔５４および第１ハンドヘルド部第２側壁貫通孔１１２を順に貫通する。ネジ６４の前端は、ナット６３に挿入され、ネジ接続される。ネジ６４の後端にはネジベース６５が設けられる。ネジベース６５は、第１ハンドヘルド部第２側壁１２の外側に露出し、その外面には平坦または十字形の溝が設けられている。
【０１４０】
ラチェット刃５は、一部の側壁がラチェット形状に設計された刃を指し、切断部５１、弓状板５２および接続部５３を含む。第５の実施形態と第４の実施形態との間の別の違いとなる特徴は、弓状板５２が、弓状板５２の一端を貫通し、第３弾性部材１９の一端によって係合される弓状板スナップ孔５２３を含むことである。
【０１４１】
図３３に示すように、本実施形態は、同じ形状を有し、互いに隣接する２つのラチェット刃５を含み、それらの両方は、着脱式ピン６に軸支され、相対的に偏向状態に維持され、その偏向角度は９０〜１５０度、好ましくは１２０度である。一方のラチェット刃５の弓状板スナップ孔５２３は、弓状板５２の左端に設けられ、他方のラチェット刃５の弓状板スナップ孔５２３は、弓状板５２の右端に設けられる。第３弾性部材１９の一端は、２つのラチェット刃５が相対的に固定されるように、２つの弓状板スナップ孔５２３の両方を通過する。
【０１４２】
本実施形態では、第３弾性部材１９は、好ましくは、トーションバネ取付軸２０に軸支されたトーションバネであり、トーションバネの一端は、第１ハンドヘルド部１に接続され、他端は、２つのラチェット刃５の２つの弓状板スナップ孔５３２に同時に係合する。本実施形態では、第１ハンドヘルド部１および第２ハンドヘルド部２の開閉中、第３弾性部材１９は、力を加えるのを補助したり、ラチェット刃５の回転範囲を制限したりする。これにより、使用中の部品の損傷を防ぎ、安全上のリスクを低減できる。
【０１４３】
本実施形態の他の技術的解決策および技術的効果は、第４の実施形態のそれらと同一または類似であり、ここでは説明を省略する。
【０１４４】
ラチェット刃５のいずれかが損傷してラチェット刃５を交換する必要がある場合、ユーザはドライバなどの手持工具を用いてナット６３からネジ６４を取り外すことができ、それにより、着脱式ピン６を第１ハンドヘルド部１から取り外すことができ、２つのラチェット刃５は第１ハンドヘルド部１から分離され、ユーザは、元のラチェット刃５と全く同じ形状およびサイズの替え刃に交換できる。替え刃は、２つのラチェット刃５の刃貫通孔５４が第１ハンドヘルド部第１側壁貫通孔１１１および第１ハンドヘルド部第２側壁貫通孔１２１と同じ直線上にくるように、第１ハンドヘルド部１内に配置される。そしてユーザは、ネジ６４を、第１ハンドヘルド部第１側壁貫通孔１１１、刃貫通孔５４および第１ハンドヘルド部第２側壁貫通孔１２１に順に通し、ナット６３にネジ接続する。ユーザは、ドライバなどの手持工具を用いてネジ６４をナット６３に取り付けることができ、これにより、それら２つが相対的に固定される。
【０１４５】
本実施形態の有益な効果は、着脱式ピンによって複数のラチェット刃が第１ハンドヘルド部に組み付けられ、これによりラチェット刃が第１ハンドヘルド部から容易かつ迅速に分離され、これによりラチェット刃の交換を達成できる、刃交換可能な切断工具を提供することである。本実施形態は、操作が簡単で使い勝手がよく、操作能力の要件が低く、一般的なユーザが刃を交換でき、これにより、切断工具の全体的な寿命を効果的に延ばすことができる。
【０１４６】
本発明の好ましい具体的な実施形態を、上記で詳細に説明した。当業者であれば、本発明の考えにしたがって、いかなる独創的な努力も必要とすることなく、多数の修正および変形を実行できることを、理解すべきである。したがって、当業者が、本発明の考え方に従って、論理的な分析、推論、および限定された実験を通じて、先行技術に基づいて導き出すことができる技術的解決策は、特許請求の範囲によって定められる保護の範囲に含まれなければならない。
【図１】
0006979073.tif 000002
【図２】
0006979073.tif 000003
【図３】
0006979073.tif 000004
【図４】
0006979073.tif 000005
【図５】
0006979073.tif 000006
【図６】
0006979073.tif 000007
【図７】
0006979073.tif 000008
【図８】
0006979073.tif 000009
【図９】
0006979073.tif 000010
【図１０】
0006979073.tif 000011
【図１１】
0006979073.tif 000012
【図１２】
0006979073.tif 000013
【図１３】
0006979073.tif 000014
【図１４】
0006979073.tif 000015
【図１５】
0006979073.tif 000016
【図１６】
0006979073.tif 000017
【図１７】
0006979073.tif 000018
【図１８】
0006979073.tif 000019
【図１９】
0006979073.tif 000020
【図２０】
0006979073.tif 000021
【図２１】
0006979073.tif 000022
【図２２】
0006979073.tif 000023
【図２３】
0006979073.tif 000024
【図２４】
0006979073.tif 000025
【図２５】
0006979073.tif 000026
【図２６】
0006979073.tif 000027
【図２７】
0006979073.tif 000028
【図２８】
0006979073.tif 000029
【図２９】
0006979073.tif 000030
【図３０】
0006979073.tif 000031
【図３１】
0006979073.tif 000032
【図３２】
0006979073.tif 000033
【図３３】
0006979073.tif 000034
【図３４】
0006979073.tif 000035
【図３５】
0006979073.tif 000036
【図３６】
0006979073.tif 000037